(57)【特許請求の範囲】
【請求項１】
衣類を載置してアイロン掛けを行うメッシュ状に形成された本体部を備えた台本体と、前記本体部の一側から他側に渡る又はほぼ渡る長さに形成され、かつ、該本体部の裏面に固定された一対の補強部材と、前記台本体の裏面に下端が該台本体の裏面に接近して折り畳まれた折り畳み姿勢と該下端が台本体の裏面から遠ざかった使用姿勢とに姿勢変更可能に備えた支持脚とを備え、前記支持脚を支持するための支持部材を前記一対の補強部材を連結するための連結部材に兼用構成し、前記支持部材を一枚の金属製板材を前記補強部材の長手方向と直交する方向視において下方へ突出するように湾曲形成し、その湾曲形成された支持部材の両端を前記補強部材の内側縦壁部それぞれに溶接してなるアイロン台。
【請求項２】
前記支持脚が、弾性復元力を有する金属製材料によりほぼアーチ形状に形成された一対の脚部からなり、それら各脚部の両端部を互いに離間する方向にほぼ９０度折り曲げて先端部を形成し、それら先端部を前記支持部材に姿勢変更案内用の溝の長手方向一端に形成の挿通部を通してから前記補強部材に貫通させることにより脚部を回転自在に保持させてなる請求項１記載のアイロン台。
【請求項３】
前記溝が前記補強部材とほぼ平行に形成された一対の溝部からなり、前記一方の溝部の挿通部の挿通幅寸法を前記脚部の一方の先端部の長手方向の寸法と同一又はそれよりも小さな寸法とし、前記残る他方の溝部の挿通部の挿通幅寸法を前記脚部の他方の先端部の長手方向の寸法よりも大きな寸法にしてなる請求項１又は２記載のアイロン台。
【請求項４】
前記補強部材をそれの下方が開放された金属製のコの字形状に構成してなる請求項１〜３のいずれかに記載のアイロン台。
【発明の詳細な説明】
【０００１】
【発明の属する技術分野】
本発明は、衣類を載置してアイロン掛けを行う台本体と、この台本体の裏面に折り畳み可能に設けた支持脚とからなるアイロン台に関する。
【０００２】
【従来の技術】
上記アイロン台は、運搬し易いように、あるいは非使用時の収納スペースを大きく取ることがないように、支持脚を台本体の裏面に折り畳むことができるようにしている。
【０００３】
そして、前記アイロン台の本体部は金属製のメッシュ状に構成されており、アイロン掛けを行う際において衣類に吹き付けられる蒸気がアイロン台の下方に抜けやすくすることができ、アイロン台上に水分が溜まり難いように配慮されたものであるが、メッシュ状にすると、強度的に弱くなるため、金属製のメッシュ状の本体部の裏面に、本体部の一側から他側に渡る長さに形成された金属製の一対の補強部材を溶接し、これら補強部材間に支持脚を支持する支持部材を取り付けるための取付部材を溶接することにより該補強部材間の連結補強材としても機能させるようにしている。そして、次に、前記支持部材を取付部材に溶接やビス等を用いて固定し、その固定された支持部材に支持脚を折り畳み自在に取り付けて、アイロン台を構成している。
【０００４】
【発明が解決しようとする課題】
上記構成のアイロン台は、メッシュ状に形成された本体部の保形強度を高めるための一対の補強部材の他、それら補強部材間に固定される取付部材、その取付部材に固定される支持部材等、多くの部材を要するため、重量の増大を招くだけでなく、部材点数の増大によるコストの高騰や組み付け工程数の増大による作業性の悪化等が発生していた。
【０００５】
本発明が前述の状況に鑑み、解決しようとするところは、重量の増大を抑制することができると共にコスト面において有利にすることができ、しかも組み付け作業性に優れたアイロン台を提供する点にある。
【０００６】
【課題を解決するための手段】
本発明のアイロン台は、前述の課題解決のために、衣類を載置してアイロン掛けを行うメッシュ状に形成された本体部を備えた台本体と、前記本体部の一側から他側に渡る又はほぼ渡る長さに形成され、かつ、該本体部の裏面に固定された一対の補強部材と、前記台本体の裏面に下端が該台本体の裏面に接近して折り畳まれた折り畳み姿勢と該下端が台本体の裏面から遠ざかった使用姿勢とに姿勢変更可能に備えた支持脚とを備え、前記支持脚を支持するための支持部材を前記一対の補強部材を連結するための連結部材に兼用構成し、前記支持部材を一枚の金属製板材を前記補強部材の長手方向と直交する方向視において下方へ突出するように湾曲形成し、その湾曲形成された支持部材の両端を前記補強部材の内側縦壁部それぞれに溶接したことを特徴としている。
上記のように、支持部材を本体部の裏面に固定された一対の補強部材を連結する連結部材に支持部材を兼用構成することによって、補強部材間の連結補強材として機能させることができると共に構成部材点数の削減化を図ることができる。そして、前記支持部材に支持脚を支持させることによって、アイロン台の組み付けを終了することができる。
また、前記支持部材を一枚の金属製板材を前記補強部材の長手方向と直交する方向視において下方へ突出するように湾曲形成し、その湾曲形成された支持部材の両端を前記補強部材の内側縦壁部それぞれに溶接することによって、平板状の支持部材を溶接するものに比べて保形強度を高めることができると共に支持部材の内部を外部から容易に見ることができる。
【０００７】
前記支持脚が、弾性復元力を有する金属製材料によりほぼアーチ形状に形成された一対の脚部からなり、それら各脚部の両端部を互いに離間する方向にほぼ９０度折り曲げて先端部を形成し、それら先端部を前記支持部材に姿勢変更案内用の溝の長手方向一端に形成の挿通部を通してから前記補強部材に貫通させることにより脚部を回転自在に保持させている。
上記のように支持脚の先端部を補強部材に貫通させることによって、支持部材と補強部材とを連結する連結部材に支持脚を構成することができ、支持脚の取り付け部分での強度を高めることができる。
【０００８】
前記溝が前記補強部材とほぼ平行に形成された一対の溝部からなり、前記一方の溝部の挿通部の挿通幅寸法を前記脚部の一方の先端部の長手方向の寸法と同一又はそれよりも小さな寸法とし、前記残る他方の溝部の挿通部の挿通幅寸法を前記脚部の他方の先端部の長手方向の寸法よりも大きな寸法にすることによって、一方の溝部の挿通部に脚部の一方の先端部を挿通部に対して少し斜めにした状態で挿入した後、残る他方の溝部の挿通部に脚部の他方の先端部を最も寸法のある姿勢、つまりそれの長手方向が挿通部の挿通幅方向と平行な姿勢で挿通させることができる。従って、一方の溝部の挿通部からこれに挿通された一方の先端部が抜けることを確実に阻止することができる。
【０００９】
前記補強部材をそれの下方が開放された金属製のコの字形状に構成することによって、筒状のものに比べて軽量化を図ることができる。
【００１１】
【発明の実施の形態】
図１にアイロン台が示されている。このアイロン台は、舟形状に形成された断面形状が角型の金属製のフレーム１の上面にメッシュ状に形成された金属製の本体部２を備えた台本体３と、前記本体部３の長手方向一端側のフレーム１内面から他端側のフレーム１内面に渡る長さに形成され、かつ、該本体部３の裏面に溶接により固定された左右一対の金属製の補強部材４，４と、前記台本体３の裏面に下端が該台本体３の裏面に接近して折り畳まれた折り畳み姿勢と該下端が台本体３の裏面から遠ざかった使用姿勢とに姿勢変更可能に備えた一対の金属製の脚部５，５からなる支持脚６を主要構成部材としている。前記台本体３を舟形に構成する他、円形、楕円形、菱形、正方形、長方形、台形等に形成してもよく、台本体３の形状は、これらのものに限定されるものではない。前記台本体３の長手方向を前後方向とし、長手方向と直交する方向を左右方向として説明する。ここでは、一対の脚部５，５から支持脚６を構成しているが、一本の脚部から支持脚６を構成することによって、更に部材点数の削減化を図ることができる。
【００１２】
前記台本体３上には、綿等からなるクッション材（図示せず）が載置され、このクッション材を本体部２の上面に押し付けるために上方から覆い被せる布製のカバー（図示せず）を備えている。又、前記補強部材４，４は、下方が開放されたコの字形状に形成されている。前記台本体１をメッシュ状に形成された本体部２を備えさせることにより、衣類に吹き付けられる蒸気を下方に抜け易くすることができる利点がある。前記本体部２を平らなメッシュ状のものから構成したが、図７に示すように外周縁に位置する丸棒状の線材状のフレーム７から斜め上方に立ち上がってから、水平方向に形状変更するメッシュ状に構成することによって、図６の構成では、折り畳んだ脚部５，５の一部がフレーム１から下方（外部）に突出することになるが、図７では、折り畳んだ脚部５，５がフレーム７から下方（外部）に突出することがないように構成することができる利点がある。
【００１３】
図１、図２、図３及び図５に示すように、前記補強部材４，４間のうちの前後２箇所に前記脚部５，５を支持するための前後一対の金属製の支持部材８，８を溶接により固定することによって、補強部材４，４の保形強度を高めて、アイロン台全体の保形強度を高めることができるようにしている。尚、図２では、補強部材４，４と支持部材８，８とを溶接固定した後の状態を示している。前記各支持部材８は、金属製の板材を折り曲げることにより、前後方向両端に形成された水平部８Ａ，８Ａと、それら水平部８Ａ，８Ａ間に下方に湾曲形成されたほぼＵの字状の突出部８Ｂとから構成されている。又、前記支持部材８，８が、一枚の板状のものを前後方向２箇所でのみ折り曲げるだけで構成しているから、箱形に形成するものに比べて、軽量化を図ることができるようにしている。
【００１４】
図３及び図５に示すように、前後に位置する前記突出部８Ｂ，８Ｂのそれぞれには、前記脚部５，５を姿勢変更案内用の前後方向の溝９が形成されている。この溝９は、前後方向に前記脚部５，５を移動案内するために該脚部５，５の直径寸法と同一又はそれよりも少し大きく形成した左右幅を有する前後方向の案内用溝部９Ａと、この案内用溝部９Ａの前後方向両端のうちのアイロン台の前後端側（外方側）に位置する一端に前記脚部５，５を使用姿勢で係止保持するために補強部材４，４側に突出形成された係止部９Ｂ，９Ｂと、前記案内用溝部９Ａの他端に前記脚部５，５を折り畳み姿勢で係止保持するために補強部材４，４側に突出形成された係止部９Ｃ，９Ｃと、後述する脚部５，５の先端部５Ｓを挿通することができるように内側にも少し切欠き形成された切欠き部９Ｄとを左右に備えた挿通（左右）幅を備えた挿通部９Ｅ，９Ｅとからなっている。前記挿通部９Ｅ，９Ｅのうちの一方の挿通部９Ｅの左右幅Ｔ１を、図４に示すように脚部５，５の先端部５Ｓの長手方向の寸法Ｔ３と同一又はそれよりも小さくし、他方の挿通部９Ｅの挿通（左右）幅Ｔ２を、前記寸法Ｔ３よりも大きくしている。従って、一方の挿通部９Ｅに対して脚部５の一方の先端部５Ｓを斜め方向から挿入してから、他方の挿通部９Ｅに脚部５の他方の先端部５Ｓをそれの長手方向と挿通部９Ｅの左右（長手）方向とが平行な状態で挿入することができる。そして、脚部５，５の先端部の挿入後は、前記補強部材４，４の内側壁部に形成の貫通孔４Ａ，４Ａにそれぞれ、前記脚部５，５の先端部５Ｓ，５Ｓを挿入して脚部５，５の装着を完了することができる。このように装着された脚部５，５は、それの先端部５Ｓ，５Ｓ同士を結ぶ水平軸芯周りで溝９の長手方向に沿って揺動自在に補強部材４，４に支持されるように構成している。
【００１５】
前記各脚部５は、弾性復元力を有する金属製の線材（断面形状は円形や角形あるいは三角形等、どのような形状でもよい）を折り曲げることによりほぼＵの字形状（ほぼアーチ形状）に構成した脚部本体５Ａと、この脚部本体５Ａの中間部に溶接された金属製の円筒状の接地部５Ｂとから構成しているが、１つの部材により脚部５を構成することもできる。前記接地部５Ｂの両端のそれぞれには、合成樹脂製又はゴム製のキャップ５Ｃが外嵌されている。又、前記脚部本体５Ａの両端には、互いに離間する方向にほぼ９０度折り曲げて前記先端部５Ｓ，５Ｓが形成され、これら先端部５Ｓ，５Ｓを前述のように枢支軸として利用することができるようにしている。
【００１６】
次に、前記アイロン台の脚部５，５の姿勢変更について説明する。尚、両脚部５，５の構成が同一であるため、一方の脚部のみ説明する。図３に示すように、外拡がり方向に付勢されている使用姿勢の脚部５の脚部本体５Ａを掴んで互いに接近する側に移動させることにより前記係止部９Ｂ，９Ｂとの係止を解除した状態で、先端部５Ｓ，５Ｓの水平軸芯を中心に脚部５を本体部２に接近する側に揺動操作し、脚部５から手を離すことにより脚部５の復元力で係止部９Ｃ，９Ｃに係止して、図６に示すように、折り畳み姿勢に姿勢変更することができる。
【００１７】
【発明の効果】
請求項１の発明によれば、支持部材を本体部の裏面に固定された一対の補強部材を連結する連結部材に支持部材を兼用構成することによって、補強部材間の連結補強材として機能させることができ、従来必要であった取付部材を不要にすることができることから、重量の増大を抑制することができると共にコスト面において有利にすることができる。しかも、作業工程数の削減化を図ることができ、組み付け作業性に優れたアイロン台を提供することができる。また、支持部材を一枚の金属製板材を前記補強部材の長手方向と直交する方向視において下方へ突出するように湾曲形成し、その湾曲形成された支持部材の両端を前記補強部材の内側縦壁部それぞれに溶接することによって、平板状の支持部材を溶接するものに比べて保形強度を高めることができると共に支持部材の内部を外部から容易に見ることができ、メンテナンス面及び使用面において有利になる。
【００１８】
請求項２の発明によれば、支持脚の先端部を補強部材に貫通させることによって、支持部材と補強部材とを連結する連結部材に支持脚を構成することができ、支持脚の取り付け部分での強度を高めることができ、部品点数を増やすことなく、耐久面において有利にすることができる。
【００１９】
請求項３の発明によれば、一方の溝部の挿通部から一方の先端部が抜けることを確実に阻止することができながらも、他方の溝部の挿通部に他方の先端部を容易に挿通させることができ、組み付け面及び使用面において有利になる。
【００２０】
請求項４の発明によれば、補強部材をそれの下方が開放された金属製のコの字形状に構成することによって、筒状のものに比べて軽量化を図ることができ、取扱面において有利になる。
【図面の簡単な説明】
【図１】使用姿勢のアイロン台の一部切り欠いた斜視図である。
【図２】アイロン台の分解斜視図である。
【図３】脚部の支持部を示す要部の斜視図である。
【図４】脚部の斜視図である。
【図５】脚部を取り去った台本体の底面図である。
【図６】折り畳んだ状態のアイロン台の縦断側面図である。
【図７】異なる台本体に取り付けた支持脚を折り畳み状態にしたアイロン台の縦断側面図である。
【符号の説明】
１  フレーム            ２  本体部
３  台本体              ４  補強部材
５  脚部                ５Ａ  脚部本体
５Ｂ  接地部            ５Ｃ  キャップ
５Ｓ  先端部
６  支持脚              ７  フレーム
８  支持部材            ９  溝
９Ａ  案内用溝部        ９Ｂ  係止部
９Ｃ  係止部            ９Ｄ  切欠き部
９Ｅ  挿通部
【図１】
0003610932.tif 000002
【図２】
0003610932.tif 000003
【図３】
0003610932.tif 000004
【図４】
0003610932.tif 000005
【図５】
0003610932.tif 000006
【図６】
0003610932.tif 000007
【図７】
0003610932.tif 000008